(57)【要約】【課題】放射性物質で汚染されている公園や運動場のような野外活動の場所から放射性物質を効率的に除去する放射性物質の除去方法を提供すること。【解決手段】放射性物質３を含んだ地盤１の表面に透孔シート７を敷設し、透孔シート７上に硬化性溶液８を散布して、地盤１の表層部４に浸透した硬化性溶液８を介して、該透孔シート７と地盤の表層部４とを一体化し、硬化性溶液８が硬化した後、透孔シート７を地盤１の表層部４とともに剥すことによって、放射性物質３を含んだ地盤の表層部４を地盤１から除去するようにした。【選択図】図１
2013088420.tif 000002
【特許請求の範囲】
【請求項１】
その表層部に放射性物質を含んだ地盤の表面に、粘着剤を塗布した粘着シートを敷設し、該粘着剤を介して、放射性物質を含んだ地盤の表層部と粘着シートとを一体化し、上記粘着シートを上記地盤の表層部とともに剥すことによって、放射性物質を含んだ地盤の表層部を上記地盤から除去することを特徴とする放射性物質の除去方法。
【請求項２】
その表層部に放射性物質を含んだ地盤の表面に透孔シートを敷設し、該透孔シート上に硬化性溶液を散布して、上記地盤の表層部に浸透した上記硬化性溶液を介して、該透孔シートと上記地盤の表層部とを一体化し、上記硬化性溶液が硬化した後、透孔シートを上記地盤の表層部とともに剥すことによって、放射性物質を含んだ地盤の表層部を上記地盤から除去することを特徴とする放射性物質の除去方法。
【発明の詳細な説明】
【技術分野】
【０００１】  この発明は、放射性物質で汚染された地表面から放射性物質を効率的に除去する方法に関する。
【背景技術】
【０００２】  原子力発電所事故で発生した放射性物質が、周辺の公園や学校の運動場等に沈降して、これらの施設が放射背物質に汚染されて使用できなくなっている。そのため、放射性物質で汚染された地表面から放射性物質を含む土砂を除去することが試みられている。
従来の放射性物質を除去・除染する技術には、たとえば、特開平９−１８９７９９号に放射能除染装置及び放射能の除染方法が開示されている。
特開平９−１８９７９９号においては、除染用水をノズルから噴出させて放射能汚染物を除去する際に、水流に超音波波動を付与することによって放射性物質の除染効果を高めるようにしている。【０００３】  しかしながら、特開平９−１８９７９９号における除染方法によると、除染用水をノズルから噴出させる方法なので、噴出面積が極端に狭く、たとえば、面積の広大な運動場のような場所の放射性物質を除去するには、膨大な時間を要する。
また、除染した放射性物質を含む除染用水の処理という２次的な処理が必要になり、膨大な費用を要する。
また、除染用水をノズルから噴出させる方法なので、除染用水は流勢を有し、たとえば、薄い表面層だけを汚染しているような運動場の除染に適用すると、その流勢によって、かえって放射性物質を深層まで攪拌してしまう恐れがある。
【先行技術文献】
【特許文献】
【０００４】
【特許文献１】特開平９−１８９７９９号公報
【発明の概要】
【発明が解決しようとする課題】
【０００５】  そこで、この発明の課題は、放射性物質で汚染されている公園や運動場のような野外活動の場所から放射性物質を効率的に除去できる放射性物質の除去方法を提供することにある。
【課題を解決するための手段】
【０００６】  この課題を解決するために、この発明の放射性物質の除去方法は、その表層部に放射性物質を含んだ地盤の表面に、粘着剤を塗布したシートを敷設し、該粘着剤を介して、放射性物質を含んだ地盤の表層部とシートとを一体化し、上記シートを上記地盤の表層部とともに剥すことによって、放射性物質を含んだ地盤の表層部を上記地盤から除去することを特徴としている。【０００７】  また、この課題を解決するために、別な発明の放射性物質の除去方法は、その表層部に放射性物質を含んだ地盤の表面に透孔シートを敷設し、該透孔シート上に硬化性溶液を散布して、上記地盤の表層部に浸透した上記硬化性溶液を介して、該透孔シートと上記地盤の表層部とを一体化し、上記硬化性溶液が硬化した後、透孔シートを上記地盤の表層部とともに剥すことによって、放射性物質を含んだ地盤の表層部を上記地盤から除去することを特徴としている。
【発明の効果】
【０００８】  この発明によれば、その表層部に放射性物質を含んだ地盤の表面に、粘着剤を塗布した粘着シートを敷設し、該粘着剤を介して、放射性物質を含んだ地盤の表層部と粘着シートとを一体化し、上記粘着シートを上記地盤の表層部とともに剥すことによって、放射性物質を含んだ地盤の表層部を上記地盤から除去するようにしているので、放射性物質を含む地盤に広がりのある粘着シートを敷設するだけで、放射性物質を効率よく除去することができる。
また、放射性物質を粘着シートで地盤の表層部ともに除去するので、粘着シートを含めて、埋立や堤防の盛土に使用すれば２次的な処理を必要としない。
また、粘着シートに塗布した粘着剤に放射性物質を含む地盤の表層部が付着することによって、放射性物質を除去する方法であるので、放射性物質を含む地盤を深層まで攪拌してしまうということがなり、管理保管する放射性物質を少なくすることができる。【０００９】  また、別な発明によれば、その表層部に放射性物質を含んだ地盤の表面に透孔シートを敷設し、該透孔シート上に硬化性溶液を散布して、上記地盤の表層部に浸透した上記硬化性溶液を介して、該透孔シートと上記地盤の表層部とを一体化し、上記硬化性溶液が硬化した後、透孔シートを上記地盤の表層部とともに剥すことによって、放射性物質を含んだ地盤の表層部を上記地盤から除去するようにしているので、放射性物質で汚染された地盤表層部の深さに応じて、上記硬化性溶液を散布する量を調節することによって、除去する表層部を無駄なく効率的に除去することができる。
また、放射性物質を透孔シートでともに除去するので、透孔シートを埋立たり、堤防の盛土に使用すれば２次的な処理を必要としない。
また、透孔シートに散布した硬化性溶液の硬化物に放射性物質を含む表層部が付着することによって、放射性物質を除去する方法であるので、放射性物質を含む地盤の深層まで攪拌してしまうということがなくなる。
また、放射性物質で汚染された地盤表層部に、透孔シートを敷設し硬化性溶液を散布してから除去作業を行うので、放射性物質が飛散しなく、安全な除去作業ができる。
【図面の簡単な説明】
【００１０】
【図１】この発明の放射性物質の除去方法を説明する図であって、（ａ）は放射性物質に汚染された地盤の表面にシートを敷設する状態を示す断面図である。（ｂ）は放射性物質に汚染された地盤の表面にシートを敷設した状態を示す断面図である。（ｃ）は地盤の表面にシートを敷設したシートの上面から硬化性溶液を散布して、硬化性溶液が表面層に浸潤する状態を示す断面図である。（ｄ）は硬化性溶液が硬化した後に、シートを地盤から剥す状態を示す断面図である。
【図２】別の発明の放射性物質の除去方法を説明する図であって、（ａ）は放射性物質に汚染された地盤の表面に粘性剤を塗布した粘着シートを敷設する状態を示す断面図である。（ｂ）は放射性物質に汚染された地盤の表面に粘性剤を塗布した粘着シートを敷設した状態を示す断面図である。（ｃ）は粘性剤に放射性物質で汚染された表面層が付着したまま粘着シートを地盤から剥す状態を示す断面図である。
【発明を実施するための形態】
【００１１】  以下、この発明を図示の形態により詳細に説明する。
【実施例１】
【００１２】  図１は、この発明の放射性物質の除去方法を説明する図であって、（ａ）は放射性物質に汚染された地盤の表面にシートを敷設する状態を示す断面図である。（ｂ）は放射性物質に汚染された地盤の表面にシートを敷設した状態を示す断面図である。（ｃ）は地盤の表面にシートを敷設したシートの上面から硬化性溶液を散布して、硬化性溶液が表面層に浸潤する状態を示す断面図である。（ｄ）は硬化性溶液が硬化した後に、シートを地盤から剥す状態を示す断面図である。
地盤１は、図１（ａ）に示すように、放射性物質で汚染されていない地盤２と放射性物質３で汚染された表層部４とから構成される。空気中に浮遊した上記放射性物質は降雨によって地盤１の表面５に沈降する。そして、上記放射性物質３は、降雨時の雨水とともに前期地盤１内に浸透し、土粒子６の周面に付着する。この放射性物質３が付着した上記土粒子６の集合する層を表層部４という。【００１３】  まず、図１（ｂ）に示すように、上記地盤１の表面５上に目の粗い寒冷紗のように表裏に貫通している孔を有する透孔シート７を敷設する。透孔シート７の敷設は、ロール状に巻いた透孔シート７を地面１上に沿って図１（ａ）の矢印Ａの方向に転がしながら拡げると効率的である。【００１４】  つぎに、図１（ｃ）に示すように、地盤１の表面５に敷設した透孔シート７の上面から地盤１の方向に向かって硬化性溶液８を散布する。上記硬化性溶液８は、粉塵飛散防止剤など散布したあと短時間に硬化および固化する性状を有するものであればよく、たとえば、商品名「出光コールクリーンＷＡ」などが該当する。上記硬化性溶液８を散布すると、上記硬化性溶液８は、上記透孔シート７の透孔を進入し、上記地盤１の表面５から地盤１の多数の上記土粒子６、６の間隙に浸潤する。浸潤する深さは、散布する上記硬化性溶液８の量によって定まる。なお、上記硬化性溶液８は、散布の手段でなく、上記透孔シート７の上に刷毛引き等の手段によって塗りつけてもよい。【００１５】  大気中に浮遊する放射性物質３は、降雨によって地面に沈降し、雨水とともに地盤内に侵入し、地盤の土粒子の表面に付着する。その深さは、多くの場合、低濃度汚染の場合で数ミリメートルである。
そこで、上記硬化性溶液８を散布する量は、多くても地盤の深さ数ミリメートルまでの地盤の間隙容量とすれば十分である。上記表層部４の深さ及び地盤の間隙容量は、除去作業を行う前にあらかじめ測定しておく。上記硬化性溶液８を散布すると上記土粒子６間に侵入して、上記硬化性溶液８が上記放射性物質３の付着した上記土粒子６の表面に付着するとともに、上記土粒子６表面の上記硬化性溶液８が互いに引き合い、隣り合う上記土粒子６、６が上記硬化性溶液８を介して一体になる。【００１６】  また、上記硬化性溶液８が上記透孔シート７を進入するので、上記透孔シートに付着しており、上記透孔シート７と上記硬化性溶液８とが一体となる。
散布した上記硬化性溶液８が硬化すれば、上記土粒子６と上記透孔シート７と上記硬化性溶液８とは強固に一体化される。
つぎに、図１（ｄ）に示すように、上記透孔シート７を地盤１から持ち上げるように剥す。そうすると、上記透孔シート７と上記土粒子６と硬化した硬化性溶液８が一体になっているので、上記透孔シート７を地盤１から剥すと硬化した硬化性溶液８及び放射性物質３の付着した土粒子６とが一緒に地盤から剥される。図に示すように、これら一体となった透孔シート７を矢印Ｂのように巻き取ると効率的に表層部４の撤去すなわち放射性物質３を除去することができる。
そして、除去した後の地盤における放射性物質の存在有無を測定する。その値が許容値以上であれば、除去が不十分であるので、上記除去工程を再度行う。
巻き取った上記放射性物質を含む上記透孔シート７は、適宜処分場へ運搬し処分する。たとえば、堤防の盛土に使用すれば２次的な処理を必要としない。
上記説明では、地盤の上層部が放射性物質で汚染している場合について述べたが、公園や森林のなどの場所で、地盤表面の上に植物の落ち葉のような土粒子以外のものがある場合は、植物の落ち葉などを含む層を上記表層部４とする。植物の落ち葉などに放射性物質が付着している場合、植物の落ち葉などの上に上記透孔シート７を敷設して上記除去工程を行う。
【実施例２】
【００１７】  図２は、別な発明の放射性物質の除去方法を説明する図であって、（ａ）は放射性物質に汚染された地盤の表面に粘性剤を塗布した粘着シートを敷設する状態を示す断面図である。（ｂ）は放射性物質に汚染された地盤の表面に粘性剤を塗布した粘着シートを敷設した状態を示す断面図である。（ｃ）は粘性剤に放射性物質で汚染された表面層が付着したまま粘着シートを地盤から剥す状態を示す断面図である。【００１８】  以下、実施形態１と同一の名称には図１と同一の符号を付す。
地盤１は、図２（ａ）に示すように、放射性物質で汚染されていない地盤２と放射性物質３で汚染された表層部４とから構成される。空気中に浮遊する上記放射性物質は降雨によって地盤１の表面５に沈降する。そして、上記放射性物質３は、降雨時の雨水とともに上記地盤１内に浸透し、土粒子６の周面に付着する。この放射性物質３が付着した土粒子６の集合する層を表層部４という。
まず、図２（ｂ）に示すように、放射性物質に汚染された上記地盤１の表面５上に粘性剤１０を塗布した粘着シート１１を敷設する。上記粘着シート１１の敷設は、粘着シート１１の片方を着地させて他方を順次（図２（ａ）の矢印Ｃ）着地させる方法で行うこともできる。
この段階で、敷設しさらに上方から加圧することによって、粘性剤１０は、地盤１の表面５から地盤１の土粒子６、６間隙に浸潤する。
なお、粘着シート１１を敷設した段階で上記粘性剤１０が土粒子６の間隙に進入していない場合は、粘着シート１１に熱を加えて上記粘性剤１０を溶かしてやればよい。【００１９】  上記粘性剤１０が地盤１の上記土粒子６、６間隙に浸潤すると、上記粘性剤１０が上記土粒子６の表面に付着するとともに、上記土粒子６表面の上記粘性剤１０が互いに引き合い、隣り合う土粒子６、６が上記粘性剤１０を介して一体になる。
また、粘着シート１１は上記粘性剤１０と一体であるから、上記土粒子６と上記粘着シート１１と上記粘性剤１０とは強固に一体化される。【００２０】  つぎに、図２（ｃ）に示すように、上記粘着シート１１を地盤１から持ち上げるように剥がす。そうすると、上記粘着シート１１と土粒子６と上記粘性剤１０が一体になっているので、上記粘着シート１１を地盤１から剥すと上記粘性剤１０及び放射性物質３の付着した上記土粒子６とが一緒に地盤から剥される。図に示すように、これら一体となった上記粘着シート１１を矢印Ｄのように持ち上げると効率的に表層部４の撤去すなわち放射性物質３を除去することができる。
そして、除去した後の地盤における放射性物質の存在有無を測定する。その値が許容値以上であれば、上記除去工程を再度行う。
剥し取った上記放射性物質を含む上記粘着シート１１は、適宜処分場へ運搬し処分する。たとえば、堤防の堤として使用する。
【符号の説明】
【００２１】１  地盤
２  放射性物質に汚染されていない地盤
３  放射性物質
４  表層部
６  土粒子
７  透孔シート
８  硬化性溶液
１０  粘性剤
１１  粘着シート
【図１】
2013088420.tif 000003
【図２】
2013088420.tif 000004